(57)【要約】      （修正有）【課題】付着材料を対象物に確実に付着させる吹矢用の矢を提供する。【解決手段】吹矢用の矢１は、対象物に衝突させることによって付着材料３０を対象物に付着可能に構成され、基端部１１ａ側から先端部１１ｂ側に向かうに従って小径となる円錐状に形成された矢羽根１１と、付着材料３０を収容可能に構成されて矢羽根１１の先端部１１ｂに配設された収容部１２とを備え、収容部１２は、付着材料３０を一端部２１ａ側に収容可能な筒状のシリンダ部２１と、シリンダ部２１の他端部２１ｂ側から一端部２１ａ側に摺動可能にシリンダ部２１の内部に配設されると共に矢羽根１１の先端部１１ｂに固定されたピストン部２２とを備えて構成され、付着材料３０は、非流動性を有している。【選択図】図３
0003232408.tif 000002
【実用新案登録請求の範囲】
【請求項１】
対象物に衝突させることによって付着材料を対象物に付着させるための吹矢用の矢であって、
基端部側から先端部側に向かうに従って小径となる円錐状に形成された矢羽根と、前記付着材料を収容可能に構成されて前記矢羽根の前記先端部に配設された収容部とを備え、
前記収容部は、前記付着材料を一端部側に収容可能でかつ当該一端部が開口する筒状のシリンダ部と、当該シリンダ部の他端部側から前記一端部側に摺動可能に当該シリンダ部の内部に配設されると共に前記矢羽根の前記先端部に固定されたピストン部とを備えて構成され、
前記付着材料は、非流動性を有している吹矢用の矢。
【請求項２】
前記シリンダ部は、前記一端部側と前記他端部側との中間部位に形成された仕切壁を備え、
前記ピストン部は、前記仕切壁よりも前記一端部側に配設された第１ピストンと、前記仕切壁よりも前記一端部側に配設されて当該仕切壁の貫通孔に挿通された連結ロッドを介して前記第１ピストンと連結された第２ピストンとを備えている請求項１記載の吹矢用の矢。
【請求項３】
前記矢羽根の前記先端部よりもやや前記基端部側に取り付けられて、当該矢羽根が前記ピストン部と共に前記シリンダ部の前記一端部側に所定の距離だけ移動したときに当該シリンダ部の前記他端部に当接して当該一端部側へのそれ以上の移動を規制するストッパーを備えている請求項１記載の吹矢用の矢。
【考案の詳細な説明】
【技術分野】
【０００１】
本考案は、対象物に衝突させることによって付着材料を対象物に付着させるための吹矢用の矢に関するものである。
【背景技術】
【０００２】
この種の吹矢用の矢として、下記特許文献１に開示された吹矢用の矢が知られている。この吹矢用の矢は、カプセルにしるし材料が充填されたマーカーが矢本体の先端部に取り付けられて構成されている。この矢が逃走者（対象物）に当たると、マーカーのカプセルが破裂してカプセル内のしるし材料が逃走者に付着し、逃走者を追跡するための目印となる。
【先行技術文献】
【特許文献】
【０００３】
【特許文献１】実用新案登録第３２３０８７９号公報
【考案の概要】
【考案が解決しようとする課題】
【０００４】
ところが、従来の吹矢用の矢には、改善すべき以下の課題がある。具体的には、従来の吹矢用の矢では、逃走者に当たったときにカプセルが割れて、しるし材料が逃走者に付着する。この場合、使用時以外におけるカプセルの破損を防止するためには、カプセルをある程度丈夫に形成する必要がある。しかしながら、カプセルを丈夫に形成するほどカプセルが割れ難くなり、矢が逃走者に当たったとしてもカプセルが割れずに、しるし材料が逃走者に付着せず、防犯機能を発揮しないおそれがある。
【０００５】
本考案は、かかる課題を解決すべくなされたものであり、付着材料を対象物に確実に付着させ得る吹矢用の矢を提供することを目的とする。
【課題を解決するための手段】
【０００６】
上記課題を解決すべく、請求項１記載の吹矢用の矢は、対象物に衝突させることによって付着材料を対象物に付着させるための吹矢用の矢であって、基端部側から先端部側に向かうに従って小径となる円錐状に形成された矢羽根と、前記付着材料を収容可能に構成されて前記矢羽根の前記先端部に配設された収容部とを備え、前記収容部は、前記付着材料を一端部側に収容可能でかつ当該一端部が開口する筒状のシリンダ部と、当該シリンダ部の他端部側から前記一端部側に摺動可能に当該シリンダ部の内部に配設されると共に前記矢羽根の前記先端部に固定されたピストン部とを備えて構成され、前記付着材料は、非流動性を有している。
【０００７】
また、請求項２記載の吹矢用の矢は、請求項１記載の吹矢用の矢において、前記シリンダ部は、前記一端部側と前記他端部側との中間部位に形成された仕切壁を備え、前記ピストン部は、前記仕切壁よりも前記一端部側に配設された第１ピストンと、前記仕切壁よりも前記一端部側に配設されて当該仕切壁の貫通孔に挿通された連結ロッドを介して前記第１ピストンと連結された第２ピストンとを備えている。
【０００８】
また、請求項３記載の吹矢用の矢は、請求項１記載の吹矢用の矢において、前記矢羽根の前記先端部よりもやや前記基端部側に取り付けられて、当該矢羽根が前記ピストン部と共に前記シリンダ部の前記一端部側に所定の距離だけ移動したときに当該シリンダ部の前記他端部に当接して当該一端部側へのそれ以上の移動を規制するストッパーを備えている。
【考案の効果】
【０００９】
本考案に係る吹矢用の矢によれば、非流動性を有する付着材料を一端部側に収容可能でかつ一端部が開口するシリンダ部と、シリンダ部の内部に配設されると共に矢羽根の先端部に固定されたピストン部とを備えて収容部を構成したことにより、シリンダ部に収容されている付着材料をピストン部の摺動によってシリンダ部の一端部側に移動させ、矢が対象物に衝突したときに、開口しているシリンダ部の一端部から付着材料を確実に飛び出させて対象物に確実に付着させることができる。
【００１０】
また、本考案に係る吹矢用の矢によれば、一端部側と他端部側との中間部位に形成された仕切壁を備えてシリンダ部を構成し、仕切壁よりも一端部側に配設された第１ピストンと、仕切壁よりも他端部側に配設されて仕切壁の貫通孔に挿通された連結ロッドを介して第１ピストンと連結された第２ピストンとを備えてピストン部を構成したことにより、ピストン部が矢羽根と共にシリンダ部の他端部側から一端部側に摺動したときにピストン部の第２ピストンがシリンダ部の仕切壁に当接して、それ以上のピストン部の移動が規制されるため、矢が対象物に衝突する以前に付着材料がシリンダ部から外部に押し出される事態を回避することができる。
【００１１】
また、本考案に係る吹矢用の矢によれば、矢羽根の先端部よりもやや基端部側に取り付けられたストッパーを備えたことにより、ピストン部が矢羽根と共にシリンダ部の他端部側から一端部側に所定の距離だけ摺動したときにストッパーがシリンダ部の他端部に当接して、それ以上のピストン部の移動が規制されるため、矢が対象物に衝突する以前に付着材料がシリンダ部から外部に押し出される事態を回避することができる。
【図面の簡単な説明】
【００１２】
【図１】矢１の斜視図である。
【図２】防犯吹矢セット１００の斜視図である。
【図３】矢１の構成を示す断面図である。
【図４】矢１の動作を説明する説明図である。
【図５】矢１Ａの構成を示す断面図である。
【図６】矢１Ａの動作を説明する説明図である。
【考案を実施するための形態】
【００１３】
以下、本考案に係る吹矢用の矢の実施の形態について、図面を参照して説明する。
【００１４】
本考案に係る吹矢用の矢の一実施例としての矢１を図１に示す。矢１は、図２に示す筒２と共に防犯吹矢セット１００を構成し、筒２に挿入して筒２に息を吹き込むことによって発射され、対象物としての逃走者に矢１を衝突させて付着材料３０を逃走者に付着させることによって逃走者の逃走を阻止する防犯用として用いることができる。
【００１５】
本実施形態の矢１は、図１に示すように、矢羽根１１および収容部１２を備えて構成されている。
【００１６】
矢羽根１１は、図１に示すように、基端部１１ａ側から先端部１１ｂ側に向かうに従って小径となる円錐筒状に形成されている。
【００１７】
収容部１２は、図３に示すように、収容部１２は、シリンダ部２１およびピストン部２２を備え、矢羽根１１の先端部１１ｂに配設されている。
【００１８】
シリンダ部２１は、図３に示すように、一端部２１ａと他端部２１ｂとの中間部位に仕切壁２１ｃを有して、付着材料３０を一端部２１ａ側に収容可能でかつ一端部２１ａが開口する筒状（一例として、円筒状）に形成されている。また、仕切壁２１ｃの中央部には、貫通孔２１ｄが形成されている。
【００１９】
ピストン部２２は、図３に示すように、第１ピストン２２ａ、第２ピストン２２ｂおよび連結ロッド２２ｃで構成され、シリンダ部２１の他端部２１ｂ側から一端部２１ａ側に摺動可能にシリンダ部２１の内部に配設されている。この場合、第１ピストン２２ａは、シリンダ部２１の仕切壁２１ｃよりも一端部２１ａ側に配設されている。また、第２ピストン２２ｂは、仕切壁２１ｃよりも他端部２１ｂ側に配設されて、仕切壁２１ｃの貫通孔２１ｄに挿通された連結ロッド２２ｃを介して第１ピストン２２ａと連結されている。また、第２ピストン２２ｂには、矢羽根１１の先端部１１ｂが固定されている。
【００２０】
付着材料３０は、対象物に付着したときに目印となるものであれば、任意に選定することができる。例えば、着色料や着臭剤等を用いることができ、本実施例では、着色料を用いる。また、付着材料３０は、乾燥等によって固化し難く、かつ流動性が低い材質、例えば、ゼリー状の材質が好ましい。
【００２１】
次に、防犯吹矢セット１００の使用方法を説明する。一例として、対象物としての逃走者（犯罪者）の逃走を阻止することを目的とした使用例について説明する。
【００２２】
図２に示すように、まず、筒２の吹き口側（基端部側）から矢１を挿入する。次いで、逃走者に狙いを定め、筒２の吹き口側から息を吹き込む。この際に、図４に示すように、収容部１２のピストン部２２が矢羽根１１と共にシリンダ部２１の他端部２１ｂ側から一端部２１ａ側に摺動する。また、ピストン部２２の摺動によってシリンダ部２１に収容されている付着材料３０もシリンダ部２１の一端部２１ａ側に移動する。
【００２３】
この場合、ピストン部２２の第２ピストン２２ｂがシリンダ部２１の仕切壁２１ｃに当接して、それ以上のピストン部２２の移動が規制されるため、矢１が対象物逃走者に衝突する以前に付着材料３０がシリンダ部２１の一端部２１ａから外部に押し出される事態が回避される。
【００２４】
次いで、矢１が逃走者に命中（衝突）したときには、付着材料３０が慣性によってシリンダ部２１から飛び出し逃走者に付着し、これにより、逃走者の逃走を阻止することができる。この場合、本考案の矢１では、カプセル内に付着材料３０が収容されている従来の構成とは異なり、一端部２１ａが開口しているシリンダ部２１に付着材料３０が収容されているため、矢１が逃走者に命中したときに付着材料３０がシリンダ部２１から確実に飛び出させて逃走者に付着させることができる。
【００２５】
次に、本考案に係る吹矢用の矢の他の実施例としての矢１Ａの構成について説明する。矢１Ａは、図５に示すように、上記した矢１の収容部１２に代えて、収容部１２Ａを備えている。収容部１２Ａは、一端部２１Ａａが開口する円筒状のシリンダ部２１Ａと、シリンダ部２１Ａの内部に配設されたピストン部２２Ａとを備えている。また、矢１Ａは、矢羽根１１の先端部１１ｂよりもやや基端部１１ａ側に取り付けられた円板状のストッパー２３を備えている。このストッパー２３は、図６に示すように、矢羽根１１がピストン部２２Ａと共にシリンダ部２１Ａの他端部２１Ａｂ側から一端部２１Ａａ側に所定の距離だけ移動したときにシリンダ部２１Ａの他端部２１Ａｂに当接して一端部２１Ａａ側へのそれ以上の移動を規制する機能を有している。
【００２６】
この矢１Ａにおいても、筒２の吹き口側から矢１Ａを挿入した状態で吹き口側から息を吹き込むことにより、図６に示すように、収容部１２Ａのピストン部２２Ａが矢羽根１１と共にシリンダ部２１Ａの他端部２１Ａｂ側から一端部２１Ａａ側に摺動し、シリンダ部２１Ａに収容されている付着材料３０もシリンダ部２１の一端部２１Ａａ側に移動する。
【００２７】
この場合、矢羽根１１がシリンダ部２１Ａの一端部２１Ａａ側に所定の距離だけ移動したときに、ストッパー２３がシリンダ部２１の他端部２１Ａｂに当接して一端部２１Ａａ側へのそれ以上の移動が規制されるため、矢１が対象物逃走者に衝突する以前に付着材料３０がシリンダ部２１Ａの一端部２１Ａａから外部に押し出される事態が回避される。
【００２８】
また、この矢１Ａにおいても、一端部２１Ａａが開口しているシリンダ部２１Ａに付着材料３０が収容されているため、矢１Ａが逃走者に命中したときに付着材料３０をシリンダ部２１Ａから確実に飛び出させて逃走者に付着させることができる。
【００２９】
なお、上記した矢１，１Ａは、本考案に係る吹矢用の矢の一例であって、適宜変更した構成を採用することができる。例えば、付着材料３０として着色料を用いる例について上記したが、着臭剤を付着材料３０として用いる構成を採用することもできる。また、円筒状のシリンダ部２１，２１Ａを採用する例について上記したが、断面形状が楕円や多角形の筒状のシリンダ部２１，２１Ａを採用することもできる。
【符号の説明】
【００３０】
１，１Ａ  矢
１１  矢羽根
１１ａ  基端部
１１ｂ  先端部
１２，１２Ａ  収容部
２１，２１Ａ  シリンダ部
２１ａ，２１Ａａ  一端部
２１ｂ，２１Ａｂ  他端部
２１ｃ  仕切壁
２１ｄ  貫通孔
２２，２２Ａ  ピストン部
２２ａ  第１ピストン
２２ｂ  第２ピストン
２２ｃ  連結ロッド
２３  ストッパー
３０  付着材料
１００  防犯吹矢セット
【図１】
0003232408.tif 000003
【図２】
0003232408.tif 000004
【図３】
0003232408.tif 000005
【図４】
0003232408.tif 000006
【図５】
0003232408.tif 000007
【図６】
0003232408.tif 000008